(57)【要約】【課題】  樹脂が含浸された布を巻き取る巻取り棒の表面に複数の針を設けて、重くてスリップし易い樹脂が含浸された布に針を挿通して確実に巻き取る。【解決手段】  樹脂含浸プール１で樹脂が含浸された布３は、巻取り棒８に順次巻き取られる。この巻取り棒８の表面には針９…が多数突設され、巻き取る布３を挿通／貫通する。これにより、樹脂が含浸した布３を容易に巻回でき、巻回する布３にしわやねじれが生じない。この樹脂が含浸された布３は、垂直方向に対して１度乃至６０度傾斜し、この布３の傾斜面の下に上記巻取り棒８及び針９…が位置する状態とされる。巻き取られる布が傾斜していると、針９…が布３を容易に挿通して針９が布３から外れにくくなる。樹脂が含浸された布３はほぼ垂直方向に垂下されるので、含浸された樹脂が布３から外に垂れず、垂れても布を染み渡っていく。【選択図】図４
2008063678.tif 000002
【特許請求の範囲】
【請求項１】
繊維製の長尺状の布を蓄積する布蓄積部と、
この蓄積部より繰り出される布に対して、防水性で液体の樹脂を当該布に含浸させる樹脂含浸機構と、
この樹脂含浸機構で樹脂が含浸された布を巻取る巻取り棒と、
この巻取り棒の外側面に突設され、上記樹脂が含浸された布を挿通する複数の針とを備えたことを特徴とする布への樹脂含浸装置。
【請求項２】
上記樹脂含浸機構から上記巻取り棒へかけて、樹脂が含浸された布は、垂直方向に対して１度乃至６０度傾斜し、この布の傾斜面の下に上記巻取り棒及び針が位置する状態とされることを特徴とする請求項１記載の布への樹脂含浸装置。
【請求項３】
上記複数の針は、同じ長さ、同じ太さ、同形、同大、同材質であり、巻取り棒の長手方向に平行に、一列に並んで、等間隔で突設されていることを特徴とする請求項１または２記載の布への樹脂含浸装置。
【請求項４】
上記巻取り棒に所定量巻取られた上記樹脂が含浸された布は、幅方向の両端を固定され、この固定された両端付近を横断するように切断機構で切断されることを特徴とする請求項１、２または３記載の布への樹脂含浸装置。
【請求項５】
上記巻取り棒に所定量巻取られた上記樹脂が含浸された布には、摩擦の大きな素材が接触され、この摩擦によって、巻き取った布の端の重みによる回転モーメントと逆の回転モーメントが掛けられることを特徴とする請求項１、２、３または４記載の布への樹脂含浸装置。
【発明の詳細な説明】
【技術分野】
【０００１】
本発明は、布への樹脂含浸装置に関し、特に布に樹脂を含浸させて巻き取る装置に関し、このような樹脂が含浸された布は石綿資材の封じ込め、屋根の補強などに使用される。
【背景技術】
【０００２】
建造物を取り壊して、新たに建造物を新築すると、膨大な建築廃材が出る。近年、このような建築廃材を出さないようにすることが、環境対策上強く求められている。また、屋根だけを新たに建造しなおしても、やはり膨大な建築廃材が出る。また、新たな建造中は、当然のことながら当該建造物を使用することができず不便であった。
【０００３】
特に、石綿（アスベスト）屋根資材は、人体に非常に有害であり、石綿粒子が人間の肺の中に入ると肺ガンを起こす危険も指摘されている。このような石綿屋根資材は年月が経過するにしたがって劣化し、表面から石綿粒子が飛散する危険があった。これを解決するため以下の特許文献１〜４に示す従来技術が存在する。しかし、これは塗料だけで封じ込めるものであり、強度的及び耐久性に問題があった。
【０００４】
そこで本件出願人は、下記特許文献５〜７に示す、石綿資材の封じ込め方法、屋根補強装置などを出願した。このような石綿資材の封じ込め方法、屋根補強装置には、布が用いられ、この布には樹脂が含浸され、この布が石綿資材または屋根の表面に付着される。
【０００５】
【特許文献１】特開平５−１７６８４４公報
【特許文献２】実用新案登録２５８１１２３号公報
【特許文献３】実開平４−２５６２８公報
【特許文献４】特開平６−４９３９１公報
【特許文献５】特開２００４−２５１１０２号公報
【特許文献６】特開２００５−１９４１６２号公報
【特許文献７】特開２００６−９３８１号公報
【発明の開示】
【発明が解決しようとする課題】
【０００６】
本発明の第一の目的は、布を用いて石綿資材の封じ込め、屋根の補強をするにあたり、樹脂が含浸した布を迅速かつ容易に提供することである。本発明の第二の目的は、樹脂が含浸した布を容易に巻回でき、巻回する布にしわやねじれが生じないようにすることである。
【課題を解決するための手段】
【０００７】
上記目的を達成するために、本発明は、繰り出される布に対して、防水性で液体の樹脂を当該布に含浸させる樹脂含浸機構と、  この樹脂含浸機構で樹脂が含浸された布を巻取る巻取り棒と、  この巻取り棒の外側面に突設され、上記樹脂が含浸された布を挿通する複数の針とを備えた。
【０００８】
また、本件発明は、上記樹脂含浸機構から上記巻取り棒へかけて、樹脂が含浸された布は、垂直方向に対して１度乃至６０度傾斜し、この布の傾斜面の下に上記巻取り棒及び針が位置する状態とされるようにした。
【発明の効果】
【０００９】
樹脂が含浸された布は一般的には重量があり、巻取り棒に対してスリップしてしまい、円滑に巻回することができない。本件発明では、樹脂が含浸された布を挿通する複数の針が巻取り棒の外側面に突設されているので、樹脂が含浸された布を巻取り棒の外側面に確実に係合でき、樹脂が含浸された布を円滑に巻き取ることができる。
【００１０】
また、樹脂が含浸された布が傾斜していると、複数の針が上記布を容易に挿通し、上記複数の針が上記布から外れにくくなり、樹脂が含浸された布を円滑に巻き取ることができる。さらに、このような複数の針によって、樹脂が含浸した布を容易に巻回でき、巻回する布にしわやねじれが生じないようにすることができる。
【発明を実施するための最良の形態】
【００１１】
（１）樹脂含浸装置
図１乃至図４は樹脂含浸装置の側面、平面、正面、斜視全体などを示す。樹脂含浸プール１は底の浅い直方体の桶状で、中に防水性かつ液体で、布に含浸可能な樹脂が満たされている。
【００１２】
布蓄積軸２には、繊維製の長尺状の布３が巻回されている。この布蓄積軸２から順次繰り出された／送り出された布３は、引き入れローラ４で繰り出し方向が変えられ、含浸開始ローラ５及び含浸終了ローラ６の間で上記樹脂が順次含浸され、引き上げローラ７で樹脂から引き上げられる。含浸開始ローラ５及び含浸終了ローラ６の下部は、上記樹脂含浸プール１の液体樹脂に浸っており、この２つのローラ５、６の間で、布３に上記樹脂が含浸される。
【００１３】
引き上げローラ７からの樹脂が含浸された布３は、巻取り棒８に順次巻き取られる。この巻取り棒８の外側面には、長手方向に平行に、一列に並んで複数の針９…が等間隔で突設されている。この針９…は、ほぼ同じ長さ、ほぼ同じ太さ、ほぼ同形、ほぼ同大またはほぼ同材質である。布３が巻取り棒８に巻き取られるごとに、この針９…は布３を挿通／貫通する。これにより、樹脂が含浸された布３を巻取り棒８の外側面に確実に係合でき、樹脂が含浸された布３を円滑に巻き取ることができる。
【００１４】
上記巻取り棒８は円柱状の棒状で両端にほぼ立方体状の回転規制部１２、１２が取り付けられている。ほぼ立方体状の回転規制部１２、１２の前後側面が凸状に湾曲している。上記巻取り棒８は複数が、一対の縦ガイド１０、１０の間に上から順に積層される。
【００１５】
この巻取り棒８の上記針９…は水平方向の向きとなるように積層される。一番下の巻取り棒８は、水平方向に動かす一対の棒送りシリンダー１１、１１によって、回転規制部１２、１２が押されて、上記引き上げローラ７の下に送り出され、布３に当接する。
【００１６】
布３を挟んで上記一対の棒送りシリンダー１１、１１の反対側には、逆水平方向に動かす針刺しシリンダー１６、１６が設置され、この針刺しシリンダー１６、１６のピストンの先端には針受け杆１７が架渡され、この針受け杆１７の側面には複数の針受け筒１８…が突設されている。この針受け筒１８…は、上記巻取り棒８の針９…と同数同位置で、一対一で対応しており、針９…を出没自在に収容可能となっている。
【００１７】
上記棒送りシリンダー１１、１１によって巻取り棒８及び針９…が水平方向に押し出されるとき、針刺しシリンダー１６、１６によって針受け筒１８…も逆水平方向に押し出されて布３に当接し、布３と巻取り棒８とが互いに当接し、巻取り棒８の針９…が布３を挿通／貫通する。
【００１８】
この針９…が布３を挿通／貫通するとき、布３は垂直方向に対して１度乃至６０度、望ましくは２度乃至４５度、より望ましくは３度乃至３０度、さらに望ましくは４度乃至１５度、例えば５度に傾斜している。この傾斜は、布３の傾斜面の下に巻取り棒８及び針９…が位置する状態とされる。これにより、複数の針９…が上記布３を容易に挿通／貫通し、複数の針９…が上記布３から外れにくくなり、樹脂が含浸された布３を円滑に巻き取ることができる。
【００１９】
このように、樹脂が含浸された布３が傾斜していると、上記複数の針９…が布３から外れにくくなり、樹脂が含浸された布３を円滑に巻き取ることができる。さらに、このような複数の針９…によって、樹脂が含浸した布３を容易に巻回でき、巻回する布３にしわやねじれが生じないようにすることができる。
【００２０】
また、樹脂が含浸された布３はほぼ垂直方向に垂下されるので、含浸された樹脂が布３から外に垂れてしまうことがない。また、たとえ樹脂が垂れても布３を染み渡っていくので、布３への樹脂の含浸をより補助できる。
【００２１】
上記針刺しシリンダー１６、１６の下方には、垂直方向に動かす棒下げシリンダー３７、３７が設けられている。この棒下げシリンダー３７、３７のピストンの先端には、水平方向に動かす棒受け取りシリンダー３８、３８が取り付けられている。この棒受け取りシリンダー３８、３８のピストンの先端には、２本の棒状の挟持ガイド３９、３９が取り付けられている。
【００２２】
この挟持ガイド３９、３９は、上動及び水平動されて、その間には、上記巻取り棒８の回転規制部１２、１２が挟持される。このときに、上述の布３と巻取り棒８とが互いに当接し、巻取り棒８の針９…が布３を挿通／貫通する。布３に針９…を挿通／貫通させた巻取り棒８は、棒下げシリンダー３７、３７の復帰動によって下動される。
【００２３】
上記針刺しシリンダー１６、１６一方の下方の外側には、巻取りモーター３１が設けられている。上記針刺しシリンダー１６、１６他方の下方の外側には、軸受け３２が設けられている。これら、巻取りモーター３１と軸受け３２との下には、水平方向に動かすチャックシリンダー３３、３４が設けられている。
【００２４】
このチャックシリンダー３３、３４によって、巻取りモーター３１と軸受け３２とが互いに接近するように水平方向に移動され、巻取りモーター３１の回転軸と軸受け３２の軸とが、上記逆水平動及び下動された巻取り棒８の両端に係合固定される。
【００２５】
これにより、巻取りモーター３１の回転によって、巻取り棒８が回転され、樹脂が含浸された布３が巻取り棒８に順次所定量巻き取られていく。この直前に、棒受け取りシリンダー３８、３８の復帰動によって挟持ガイド３９、３９が逆水平動されて、挟持ガイド３９、３９が回転規制部１２、１２から離脱される。
【００２６】
上記棒送りシリンダー１１、１１のやや下には、水平方向に動かす一対の布固定シリンダー２１、２１が設けられ、この布固定シリンダー２１、２１のピストンの先には布押さえ部２２、２２が取り付けられ、この布押さえ部２２、２２は上記布３を押して布受け部２３、２３に当接し、布押さえ部２２、２２と布受け部２３、２３との間で、当該布３の幅方向の両端が挟持固定される。
【００２７】
上記布固定シリンダー２１、２１の下には、布３の幅方向に沿って、水平方向に延びる長尺状の布カットシリンダー２５が設けられている、この布カットシリンダー２５によって、布カッター２６が水平方向にスライド可能となっている。
【００２８】
この布カッター２６の先端は、布３の端の外側に位置しており、布カットシリンダー２５によって布カッター２６がスライドすると、両端が挟持固定された両端付近を横断するように布３が切断される。この切断位置は、上記布押さえ部２２、２２と布受け部２３、２３との間で布３の両端が挟持固定される位置のすぐ下である。
【００２９】
この布３が切断され、樹脂が含浸された布３が巻き取られた巻取り棒８から、チャックシリンダー３３、３４の復帰動によって、巻取りモーター３１の回転軸と軸受け３２の軸とが外れる。すると、布３が巻き取られた巻取り棒８は自重で落下して、ストックスロープ４１に沿ってスライドし、複数の布３が巻き取られた巻取り棒８が順次ストックされる。
【００３０】
上記ストックスロープ４１は板状で傾斜しており、下に向かうほど湾曲して傾斜が緩やかになっている。したがって、落下した布３が巻き取られた巻取り棒８に加速がつくことはなく、ブレーキがかかる。
【００３１】
図６は、樹脂が含浸された布３が巻き取られた巻取り棒８に対して逆の回転モーメント／回転方向／回転付勢を付与する機構を示す。巻取り棒８に巻き取られた樹脂が含浸された布３の端は垂下して、巻き取った布３の端の重みによって、図６において、反時計方向に回転モーメント／回転方向／回転付勢が付与される。
【００３２】
上記縦ガイド１０、１０の下方には、鎖４３、４３が垂下され、これらの鎖４３、４３の間にも鎖４３が垂下されている。この鎖４３…には、巻取り棒８に巻き取られた樹脂が含浸された布３が接触する。この鎖４３…が重く、樹脂が含浸された布３に対する摩擦が大きい。
【００３３】
これにより、鎖４３…の重みまたは／及び鎖４３…への摩擦によって、巻き取った布３の端の重みによる上記回転モーメント／回転方向／回転付勢と逆の時計方向に回転モーメント／回転方向／回転付勢が付与される。この結果、巻取り棒８に巻取られた布３が、解かれる方向に回転されないようにされる。
【００３４】
このような逆回転モーメント／回転方向／回転付勢を付与する素材としては、金属製の鎖４３…のほか、面ファスナー、ベルト、柱、壁、板、回転ローラなど、摩擦が大きいまたは重みがあればよい。なお、鎖４３…は、図１乃至図４には示されていないが、実際には垂下設置されている。
【００３５】
図７は、上記巻取り棒８の端とストックスロープ４１の端とを示す。上記巻取り棒８の端は、上述のようにほぼ立方体状の回転規制部１２、１２が形成されていて、この回転規制部１２、１２の下面がストックスロープ４１の上面を滑って回転されないようにされる。
【００３６】
巻取り棒８の端は、ストックスロープ４１の端縁の上をスリップしていく。巻取り棒８の端は、ジュラコン樹脂などの、磨耗に強い素材からなっている。回転規制部１２、１２もジュラコン樹脂からなっていてもよい。
【００３７】
（２）布３とこの布３に含浸される樹脂
図５は上記布３の部分拡大を示す。上記布３の具体的製品としてはユピカマットのＴシリーズ、ＭＣタイプ（日本ユピカ株式会社製品）などがよい。上記布３は、織布または不織布の布またはマットであり、クッション性はない。
【００３８】
この布３の各糸または繊維の隙間は、上記含浸される樹脂の粘度がよく含浸する隙間に選択される。例えば樹脂の粘度が０．１ポイズ乃至５０ポイズであれば、布３の糸または繊維の太さを表す糸番手が１５番から２５番、若しくは糸または単繊維の太さは０.５〜１５デニール、好ましくは１〜５デニールであり、布として織り込まれたまたは編まれた各糸または各繊維の糸密度または繊維密度が１インチ当たり２１本から５３本となる。
【００３９】
この布３は、ポリエチレンテレフタレート製またはナイロン製などの合成樹脂製、玄武岩繊維、ガラス繊維、ホウ素繊維、炭化ケイ素繊維、アルミナ繊維、炭素繊維、アラミド繊維、鋼繊維などであり、上記不織布のフィラメント糸がポリエチレンテレフタレートまたはナイロンの合成樹脂で成形されたものである。
【００４０】
フィラメント糸から成形された不織布のフィラメント糸およびその交絡部が上記不織布の内部空隙の一部を埋める熱可塑性樹脂または熱硬化性樹脂によって被覆され、上記内部空隙の残りが上記上層樹脂３または／及び下層樹脂１の含浸を可能にする樹脂含浸許容空隙を形成し、上記熱硬化性樹脂発泡体または上記熱可塑性樹脂発泡体の内包する気泡が熱可塑性樹脂皮膜または熱硬化性樹脂被膜で包まれた独立気泡であり、上記樹脂含浸許容隙が布２の体積全体の２０〜４０容量％を占め、かさ密度が０.０３〜０.０６g／cm3である。
【００４１】
図５において、１１は合成繊維のフィラメント糸、１２は上記フィラメント糸１１の交絡部、１３は上記フィラメント糸１およびその交絡部１２を被覆している熱可塑性樹脂発泡体または熱硬化性樹脂発泡体であり、該発泡体１３内には熱可塑性樹脂皮膜または熱硬化性樹脂被膜で包まれた多数の独立気泡１４を内包している。１５は上記発泡体１３の間に形成される空隙であり、この空隙１５内に二次加工時の熱硬化性樹脂溶液が含浸される。
【００４２】
布３が不織布である場合は、フィラメント糸をランダムに配列、重ね合わせ、必要に応じてニードルパチング、樹脂加工されたスパンボンド織物といわれるものが使用される。不織布の厚みおよび目付重量は特に限定されないが、この発明を好適に達成するには厚み２〜６mm、目付重量５０〜１７０g／m2が好ましい。
【００４３】
上記熱可塑性樹脂発泡体または熱硬化性樹脂発泡体中に内包されている独立気泡は、後記する発泡性熱可塑性樹脂粒子の膨張により形成されるものであって、その平均直径は４５〜１３５マイクロが好ましく、平均直径が４５マイクロ未満であると布２の厚みが小さく、比重が大きくなり、かつ樹脂含浸許容隙率が低下し、軽量にして高剛性の強化プラスチックが得られず、これに反し平均直径が１３５マイクロを越えると独立気泡の破泡現象が生じ易く、圧縮弾性回復性が低下して好ましくない。
【００４４】
上記の独立気泡が増大して布２の比重が０.０３未満になると後記する樹脂含浸許容空隙が不足し、反対に独立気泡が減少して布２の比重が立０.０６を超えると上記の樹脂含浸許容空隙が過大になり、いずれもこの発明の目的に使用できない。
【００４５】
布３の空隙率（単位体積あたりの糸・繊維以外の空間の体積の比率）は２０〜４０％であり、空隙率が２０％未満であると、布３の風合いが硬くなり二次加工樹脂含浸量が低くなりすぎて、硬質発泡ポリウレタン、硬質ポリ塩化ビニル板などの非含浸タイプの挙動に近似し、強化ブラスチツクの曲げ弾性、曲げ強度、耐衝撃強度が低下して好ましくない。また空隙率が４０％を越えると、布２の圧縮弾性回復性が低下し、保管中に体積を減少し、また二次加工時の樹脂含浸量が多くなって重くなり不経済となる。
【００４６】
上記の構造を有する布３は、通常その厚みが１〜２０mm、望ましくは１〜１０mm、より望ましくは１〜５mm、さらに望ましくは１〜３mm、目付重量が５０〜９００g／m2、望ましくは５０〜４５０g／m2、より望ましくは５０〜２７０g／m2、さらに望ましくは５０〜１７０g／m2であるが、上記の範囲のものに限定されるものではない。この布３には、パンチ加工などによって穿孔加工を施してもよい。
【００４７】
上記布３に含浸される樹脂は、熱硬化性若しくは熱可塑性であり、または無発泡性または発泡性であり、防水性である。例えば、不飽和ポリエステル樹脂、飽和ポリエステル樹脂、不飽和／飽和アクリル樹脂、アルキド樹脂、フェノール樹脂、エポキシ樹脂、メラミン樹脂、尿素樹脂、ポリウレタンなどのほか、ポリエチレン、ポリ塩化ビニル、ポリスチレン、ポリプロピレン、メタクリル樹脂、ポリカーボネード、ポリアミド、ポリアセタール、フッ素樹脂、これらの混合物などである。
【００４８】
このうち、ナイロン樹脂、エポキシ樹脂、ポリエステル樹脂が望ましく、不飽和ポリエステル樹脂がより望ましい。また、オルソ系、イソフタル酸系、ビスフェノール系いずれでもよい。具体的製品としてはユピカ４１８３ＡＰＴ、ユピカ４１８３ＰＴ（日本ユピカ株式会社製品）がよい。
【００４９】
上記樹脂が含浸された布３は、巻取り棒８から引き出されて、石綿の表面に付着され、石綿の飛散を防止する石綿資材の封じ込めに使用される。これにより、布３に含浸された樹脂によって石綿の表面に布３が密着・接着されるので、石綿の飛散が完璧に防止される。
【００５０】
本装置によって樹脂が含浸された布が付着される、石綿資材が使われている箇所としては、屋根のほか、ほか、建築物／施設の屋上床面、建築物／施設の天井／床の上面／下面／傾斜面、建築物／施設の垂直面／傾斜面の壁面、水平／垂直／傾斜の地中埋設／地上の土管／管／電柱／鉄柱／柱／塔／門／橋／道路／トンネルといった構造物の外表面／内表面など、どのような場所でもよい。
【００５１】
上記樹脂が含浸された布３は、巻取り棒８から引き出されて、屋根の表面に付着され、屋根の補強に使用される。これにより、布３に含浸された樹脂によって屋根の表面に布が密着・接着されるので、屋根の強度がより高まる。
【００５２】
本装置によって樹脂が含浸された布が付着されて、補強される屋根としては、工場の屋根、アーケードの屋根、ビルディングの屋上の床面、ドーム型屋根、スポーツ施設の屋根、公共施設などの大きな施設の屋根、プレハブ工法による住宅の屋根、木造家屋の屋根、鉄筋コンクリート建造物の屋根／屋上床面などといった建築物／施設の屋根の上面または下面（屋根裏）でもよく、これらの屋根はスレート屋根に限られずどのような石綿資材でもよいし、これら屋根等の素材は石綿資材以外の素材が使われてもよい。
【００５３】
（３）他の実施の形態
本発明は、上記実施例に限定されず、種々変更可能である。例えば、上記巻取り棒８の針９…は巻取り棒８の長手方向に沿って一部または全部等間隔でならずに突設されてもよい。また、巻取り棒８の針９…は、巻取り棒８の周回方向に沿って、等間隔に突設されてもよいし、一部または全部等間隔でならずに突設されてもよい。
【００５４】
巻取り棒８の針９…は巻取り棒８の長手方向に平行にならずに、ジグザグに配列されてもよいし、湾曲して配列されてもよいし、複数列に配列されてもよい。巻取り棒８の針９…は、それぞれ、異なる長さでもよいし、異なる太さでもよいし、異なる形でもよいし、異なる大きさでもよいし、異なる材質でもよい。
【００５５】
巻取り棒８の針９…は、直線状の針状であるが、円錐状、円柱状、角錐状、角柱状、螺旋状、フック状、Ｓ字状、Ｊ字状、これらの複合体など、太さが変化したり、湾曲したりしてもよい。これにより、針９…にいったん挿通／貫通された布３が容易に離脱しなくなる。巻取り棒８の針９…は、釘状、とげ状など布に挿通できる突起状であれば何でもよい。
【００５６】
上記布３を挿通／貫通する巻取り棒８の針９…は、はじめから巻取り棒８に突設されていたが、布３に対して針９…を貫通させ、この後に、この貫通した針９…を巻取り棒８に突き刺すようにしてもよい。
【００５７】
上記布固定シリンダー２１、布押さえ部２２、布受け部２３の一部または全部は省略されてもよい。この場合、巻取り棒８、針９…、針受け筒１８…によって、布３の切断時に布３が固定されるまた、布カットシリンダー２５、布カッター２６の一部または全部は省略されてもよい。この場合、手作業で布３が切断される。
【００５８】
上記布カッター２６の先端は、上記布押さえ部２２、布受け部２３の上に位置してもよい。これにより、上記布押さえ部２２及び布受け部２３と、上記巻取り棒８の針９…及び針受け筒１８…との間の張られた布３の部分を切断することができる。
【００５９】
上記棒下げシリンダー３７、３７、棒受け取りシリンダー３８、３８、挟持ガイド３９、３９の一部または全部は省略されてもよい。この場合、巻取りモーター３１、軸受け３２、チャックシリンダー３４、３５の位置が上に移動され、布３に巻取り棒８の針９…が挿通／貫通される。
【００６０】
この後、巻取り棒８の針９…と針受け筒１８…とが互いに離間され、さらに巻取りモーター３１の回転軸及び軸受け３２の軸が、上記巻取り棒８の両端に係合固定される。さらにこの後、巻取りモーター３１が回転されて、巻取り棒８が回転され、樹脂が含浸された布３が巻取り棒８に順次所定量巻き取られていく。
【００６１】
上記布３はロール状に蓄積されるほか、折りたたんで蓄積されてもよいし、織機から織られて供給されてもよい。樹脂を布３に含浸させる機構は上記プール形式のほか、樹脂が布３の上から降り注いだり、刷毛などで布３に塗布されたり、スプレー含などで吹き付けられても良い。
【００６２】
上記樹脂が含浸された布３が巻き取られた巻取り棒８は、ストックスロープ４１上を回転してスライドする。この回転は、巻取り棒８に巻かれた布３がほどかれる向きであるが、針９…が布３を固定しているので、巻かれた布３がほどかれることはない。
【００６３】
なお、ストックスロープ４１の傾斜の向きは図１において左下方向ではなく、右下方向にしてもよい。巻取り棒８の回転は、巻取り棒８に巻かれた布３がほどかれる向きと逆になって、巻かれた布３がほどかれなくなる。
【００６４】
上記樹脂が含浸された布３が巻き取られた巻取り棒８は、ストックスロープ４１を回転されずに移動されて複数蓄積されてもよい。この場合、ストックスロープ４１の両縁には、ガイドが形成され、このガイドに巻取り棒８の回転規制部１２の平面部分が接触したまま回転せずにスライドする。これにより、各巻取り棒の各布が回転しないので、一方の巻取り棒の針で他方の巻取り棒の布に傷をつけたり破いたりすることがないし、周囲に樹脂が付着してしまうことがない。
【００６５】
上記ストックスロープ４１にストックされる樹脂が含浸された布３が巻かれた巻取り棒８のそれぞれの間には、スペーサーが手作業又は自動的に挟まれてもよい。このスペーサーは、表面にフッ素加工、防水加工、防油加工などがなされ、金属板・樹脂板などの上記樹脂が付着しない構造となっている。これにより、各巻取り棒８の各布３の樹脂がくっ付き合うことがなく、布３にしわやねじれが生じない。
【００６６】
（４）他の発明の効果
［１］繊維製の長尺状の布を蓄積する布蓄積部と、  この蓄積部より繰り出される布に対して、防水性で液体の樹脂を当該布に含浸させる樹脂含浸機構と、  この樹脂含浸機構で樹脂が含浸された布を巻取る巻取り棒と、  この巻取り棒の外側面に突設され、上記樹脂が含浸された布を挿通する複数の針とを備えたことを特徴とする布への樹脂含浸装置。このような複数の針によって、樹脂が含浸した布を容易に巻回でき、巻回する布にしわやねじれが生じないようにすることができる。
【００６７】
[２]上記樹脂含浸機構から上記巻取り棒へかけて、樹脂が含浸された布は、垂直方向に対して１度乃至６０度傾斜し、この布の傾斜面の下に上記巻取り棒及び針が位置する状態とされることを特徴とする請求項１記載の布への樹脂含浸装置。
【００６８】
これにより、樹脂が含浸された布はほぼ垂直方向に垂下されるので、含浸された樹脂が布から外に垂れてしまうことがなく、垂れても布を染み渡っていくことができる。樹脂が含浸された布が傾斜していると、複数の針が上記布を容易に挿通し、上記複数の針が上記布から外れにくくなり、樹脂が含浸された布を円滑に巻き取ることができる。
【００６９】
[３]上記複数の針は、同じ長さ、同じ太さ、同形、同大、同材質であり、巻取り棒の長手方向に平行に、一列に並んで、等間隔で突設されていることを特徴とする請求項１または２記載の布への樹脂含浸装置。これにより、巻き取る布の幅方向にわたって均等に力がかかり、巻き取る布にしわがよったりねじったりすることがなくなる。
【００７０】
[４]上記巻取り棒に所定量巻取られた上記樹脂が含浸された布は幅方向の両端を固定され、この固定された両端付近を横断するように切断機構で切断されることを特徴とする請求項１、２または３記載の布への樹脂含浸装置。これにより、切断しにくい樹脂が含浸された布でも容易に切断できる。
【００７１】
[５]上記巻取り棒に所定量巻取られた上記樹脂が含浸された布には、摩擦の大きな素材が接触され、この摩擦によって、巻き取った布の端の重みによる回転モーメントと逆の回転モーメントが掛けられることを特徴とする請求項１、２、３または４記載の布への樹脂含浸装置。これにより、巻取り棒に巻取られた布が解かれる方向に回転されない。
【００７２】
[６]上記樹脂が含浸された布は、石綿の表面に付着され、石綿の飛散を防止する石綿資材の封じ込めに使用されることを特徴とする請求項１、２、３、４または５記載の布への樹脂含浸装置。布に含浸された樹脂によって石綿の表面に布が密着・接着されるので、石綿の飛散が完璧に防止される。
【００７３】
[７]上記樹脂が含浸された布は、屋根の表面に付着され、屋根の補強に使用されることを特徴とする請求項１、２、３、４、５または６記載の布への樹脂含浸装置。布に含浸された樹脂によって屋根の表面に布が密着・接着されるので、屋根の強度がより高まる。
【００７４】
[８]上記巻取り棒に巻取られた樹脂が含浸された布は回転されずに移動されて複数蓄積されることを特徴とする請求項１、２、３、４、５、６または７記載の布への樹脂含浸装置。これにより、各巻取り棒の各布が回転しないので、一方の巻取り棒の針で他方の巻取り棒の布に傷をつけたり破いたりすることがないし、周囲に樹脂が付着してしまうことがない。
【００７５】
[９]上記樹脂が含浸された布が巻き取られた巻取り棒は、巻取り棒に巻かれた布がほどかれる向きと逆向きに回転されて複数蓄積されることを特徴とする請求項１、２、３、４、５、６、７または８記載の布への樹脂含浸装置。これにより、巻取り棒に巻かれた布がほどかれなくなる。
【００７６】
[１０]上記樹脂が含浸された布が巻き取られた巻取り棒は、巻取り棒に巻かれた布がほどかれる向きに回転されて複数蓄積されることを特徴とする請求項１、２、３、４、５、６、７、８または９記載の布への樹脂含浸装置。この場合、巻取り棒の針が巻き取った布を固定しているので、布がほどかれることはない。
【００７７】
[１１]上記蓄積される樹脂が含浸された布が巻かれた巻取り棒のそれぞれの間には、スペーサーが挟まれることを特徴とする請求項１、２、３、４、５、６、７、８、９または１０記載の布への樹脂含浸装置。これにより、各巻取り棒の各布の樹脂がくっ付き合うことがなく、布にしわやねじれが生じない。
【産業上の利用可能性】
【００７８】
樹脂が含浸された布を巻き取る巻取り棒の表面に複数の針を設けて、重くてスリップし易い樹脂が含浸された布に針を挿通して確実に巻き取る。樹脂含浸プール１で樹脂が含浸された布３は、巻取り棒８に順次巻き取られる。この巻取り棒８の表面には針９…が多数突設され、巻き取る布３を挿通／貫通する。これにより、樹脂が含浸した布３を容易に巻回でき、巻回する布３にしわやねじれが生じない。
【００７９】
この樹脂が含浸された布３は、垂直方向に対して１度乃至６０度傾斜し、この布３の傾斜面の下に上記巻取り棒８及び針９…が位置する状態とされる。巻き取られる布が傾斜していると、針９…が布３を容易に挿通して針９が布３から外れにくくなる。樹脂が含浸された布３はほぼ垂直方向に垂下されるので、含浸された樹脂が布３から外に垂れず、垂れても布を染み渡っていく。
【図面の簡単な説明】
【００８０】
【図１】樹脂含浸装置の側面図を示す。
【図２】樹脂含浸装置の平面図を示す。
【図３】樹脂含浸装置の正面図を示す。
【図４】樹脂含浸装置の斜視図を示す。
【図５】布３の部分拡大図を示す。
【図６】樹脂が含浸された布３が巻き取られた巻取り棒８に対して、逆の回転モーメントを付与する機構を示す。
【図７】上記巻取り棒８の端とストックスロープ４１の端とを示す。
【符号の説明】
【００８１】
１…樹脂含浸プール、２…布蓄積軸、
３…布、４…引き入れローラ、
５…含浸開始ローラ、６…含浸終了ローラ、
７…引き上げローラ、８…巻取り棒、
９…針、１０…縦ガイド、
１１…棒送りシリンダー、１２…回転規制部、
１６…針刺しシリンダー、１７…針受け杆、
１８…針受け筒、２１…布固定シリンダー、
２２…布押さえ部、２３…布受け部、
２５…布カットシリンダー、２６…布カッター、
３１…巻取りモーター、３２…軸受け、
３４、３５…チャックシリンダー、
３７…棒下げシリンダー、３８…棒受け取りシリンダー、
３９…挟持ガイド、４１…ストックスロープ、
４３…鎖。
【図１】
2008063678.tif 000003
【図２】
2008063678.tif 000004
【図３】
2008063678.tif 000005
【図４】
2008063678.tif 000006
【図５】
2008063678.tif 000007
【図６】
2008063678.tif 000008
【図７】
2008063678.tif 000009